(57)【要約】【課題】独居老人の異常兆候をシステム自体が判断し、異常であると判定すると、それを管理主体に通知することのできる独居老人ケアシステムを提供する。【解決手段】本発明による独居老人ケアシステムは、老人が居住する世帯内に設置される電気機器スイッチ１１と、電気機器スイッチ１１のオン／オフ状態情報を監視し、オン／オフ状態情報と電気機器スイッチ１１の身元情報を共に提供する通信部を有する世帯別監視通信装置２１と、独居老人世帯電気機器スイッチ使用履歴情報、電気機器スイッチ設定情報及び電気機器スイッチ状態情報を保存して提供する電気機器スイッチ履歴サーバコンピュータ３２と、電気機器スイッチ履歴サーバコンピュータ３２からの電気機器スイッチ状態情報、独居老人世帯電気機器スイッチ使用履歴情報、緊急事態発生有無の状態値情報を基に、緊急事態発生時救急センター又は保護者連絡先に緊急事態発生を通知するケア装置４１とを含む。【選択図】図１
2014222498.tif 000002
【特許請求の範囲】
【請求項１】
独居老人ケアシステムであって、
独居老人が居住する世帯内に設置される電気機器スイッチと、
前記世帯内に設置されて前記電気機器スイッチに電力線で接続され、前記電気機器スイッチのオン／オフ状態情報を監視し、前記オン／オフ状態情報と前記電気機器スイッチの身元情報を共に提供する通信部を有する世帯別監視通信装置と、
前記世帯別監視通信装置に通信ネットワークを介して接続され、（Ａ）前記電気機器スイッチが最後にオン状態であった日時情報、及び前記電気機器スイッチが最後にオフ状態であった日時情報を含む独居老人世帯電気機器スイッチ使用履歴情報、（Ｂ）緊急事態発生を判定するための基準情報を含む電気機器スイッチ設定情報、並びに（Ｃ）前記世帯別監視通信装置が送信する独居老人世帯の電気機器スイッチオン／オフ状態情報、前記電気機器スイッチの身元情報、前記独居老人世帯の身元情報、前記電気機器スイッチの最終動作後経過時間と前記電気機器スイッチ設定情報に基づいて判定する前記緊急事態発生有無の状態値情報の少なくとも１つを含む電気機器スイッチ状態情報を保存して提供する電気機器スイッチ履歴サーバコンピュータと、
前記電気機器スイッチ履歴サーバコンピュータに接続され、前記電気機器スイッチ履歴サーバコンピュータからの前記電気機器スイッチ状態情報、前記独居老人世帯電気機器スイッチ使用履歴情報、前記緊急事態発生有無の状態値情報の少なくとも１つを基に、緊急事態発生時救急センター又は保護者連絡先に緊急事態発生を通知するケア装置とを含む、独居老人ケアシステム。
【請求項２】
前記電気機器スイッチは、電灯スイッチであり、静電容量式タッチスイッチ又は一般接点式電灯スイッチで構成されることを特徴とする請求項１に記載の独居老人ケアシステム。
【請求項３】
独居老人が居住する世帯内に設置され、前記世帯別監視通信装置に接続され、前記世帯別監視通信装置により前記電気機器スイッチ履歴サーバコンピュータに緊急救助要請信号を送信することのできる緊急救助要請スイッチをさらに含むことを特徴とする請求項１又は２に記載の独居老人ケアシステム。
【請求項４】
前記基準情報は、
前記電気機器スイッチオン／オフ経過基準時間情報、昼間又は夜間状態の判別設定と解除の情報、緊急事態発生の設定又は解除の情報のいずれか１つの情報を含むことを特徴とする請求項１〜３のいずれか一項に記載の独居老人ケアシステム。
【請求項５】
前記電気機器スイッチ状態情報は、
前記電気機器スイッチの最終オン又はオフ動作後経過時間情報、当該世帯の老人が不在であるか否かを示す不在モード状態値情報、緊急事態発生時の保護者連絡先情報、緊急事態発生時の救急センター連絡先情報の少なくとも１つをさらに含むことを特徴とする請求項１〜４のいずれか一項に記載の独居老人ケアシステム。
【請求項６】
前記独居老人世帯電気機器スイッチ使用履歴情報は、
前記電気機器スイッチがオンからオフになるまでの平均動作時間情報、独居老人緊急事態発生日時情報、不在モード設定日時情報の少なくとも１つをさらに含むことを特徴とする請求項１〜５のいずれか一項に記載の独居老人ケアシステム。
【請求項７】
前記世帯別監視通信装置は、スマートメータ又は遠隔検針端末で構成されることを特徴とする請求項１に記載の独居老人ケアシステム。
【請求項８】
前記電気機器スイッチ履歴サーバコンピュータに接続され、前記電気機器スイッチ履歴サーバコンピュータが緊急事態発生を判定すると自動で予め保存されている電話番号に電話をかけ、前記緊急事態発生有無の状態値情報を確認するか、又は前記緊急事態発生の設定を解除するように情報を前記電気機器スイッチ履歴サーバコンピュータに提供する自動応答サービス装置をさらに含むことを特徴とする請求項１〜７のいずれか一項に記載の独居老人ケアシステム。
【請求項９】
独居老人の世帯内に設置され、
前記世帯内に設置される電気機器スイッチに電力線で接続され、
前記電気機器スイッチのオン／オフ状態情報を監視し、前記電気機器オン／オフ時間情報、予め保存されている前記電気機器身元情報、予め保存されているユーザ身元情報、緊急事態判定基準情報の少なくとも１つを送信する通信部を含む世帯別監視通信装置。
【請求項１０】
前記緊急事態判定基準情報は、
前記電気機器スイッチオン／オフ経過基準時間情報、昼間又は夜間状態の判別設定と解除の情報、緊急事態発生の設定又は解除の情報のいずれか１つの情報を含むことを特徴とする請求項９に記載の世帯別監視通信装置。
【請求項１１】
前記世帯別監視通信装置は、スマートメータ又は遠隔検針端末で構成されることを特徴とする請求項９又は１０に記載の世帯別監視通信装置。
【発明の詳細な説明】
【技術分野】
【０００１】
本発明は、独居老人ケアシステムに関し、特にスマートメータと電力線通信技術を用いて、老人自らが救助要請を行えなくても老人の異常兆候をシステム自体が判断し、異常であると判定すると、それを管理主体に通知することのできる独居老人ケアシステムに関する。
【背景技術】
【０００２】
独居老人ケアシステムとは、人口高齢化に伴う独居老人の増加に備え、独居老人の突然の身体的問題発生による事故を最大限防止して監視するシステムである。
【０００３】
このような独居老人ケアシステムに関する従来技術の例として、特許文献１（発明の名称：独居老人用ＰＬＣベースＶｏＩＰインターホンシステム）が挙げられる。
【先行技術文献】
【特許文献】
【０００４】
【特許文献１】韓国登録特許第１０−１１９７５７２号公報
【発明の概要】
【発明が解決しようとする課題】
【０００５】
しかし、特許文献１によるシステムは、独居老人自身がインターホンを通じてデータ通信又は音声通信により自らの状況を連絡しなければ当該独居老人を救助することができず、例えば突然の意識不明状態の発生などのように突然の身体的問題の発生により独居老人自身が自らの状況を連絡できない状態では対処できないという問題があった。
【０００６】
よって、本発明は、上記問題を解決するためになされたものであり、突然の身体的問題の発生により独居老人自身が自らの状況を連絡できない状態であっても、独居老人の異常兆候をシステム自体が判断し、異常であると判定すると、それを管理主体に通知することのできる独居老人ケアシステムを提供することを目的とする。
【課題を解決するための手段】
【０００７】
本発明の上記目的は、独居老人ケアシステムであって、独居老人が居住する世帯内に設置される電気機器スイッチと、前記世帯内に設置されて前記電気機器スイッチに電力線で接続され、前記電気機器スイッチのオン／オフ状態情報を監視し、前記オン／オフ状態情報と前記電気機器スイッチの身元情報を共に提供する通信部を有する世帯別監視通信装置と、前記世帯別監視通信装置に通信ネットワークを介して接続され、（Ａ）前記電気機器スイッチが最後にオン状態であった日時情報、前記電気機器スイッチが最後にオフ状態であった日時情報、及び緊急事態発生日時に関する情報を含む独居老人世帯電気機器スイッチ使用履歴情報、（Ｂ）緊急事態発生を判定するための前記電気機器スイッチオン／オフ経過基準時間情報、昼間又は夜間状態の判別設定と解除の情報、及び緊急事態発生の設定又は解除の情報を含む電気機器スイッチ設定情報、並びに（Ｃ）前記世帯別監視通信装置が送信する独居老人世帯の電気機器スイッチオン／オフ状態情報、前記電気機器スイッチの身元情報、及び前記電気機器スイッチの最終動作後経過時間と前記電気機器スイッチ設定情報に基づいて判定する前記緊急事態発生有無の状態値情報を含む電気機器スイッチ状態情報を保存して提供する電気機器スイッチ履歴サーバコンピュータと、前記電気機器スイッチ履歴サーバコンピュータに接続され、前記電気機器スイッチ履歴サーバコンピュータからの独居老人世帯電気機器スイッチ使用履歴情報と前記緊急事態発生有無の状態値情報を基に、緊急事態発生時に救急センター又は保護者連絡先に緊急事態発生を通知するケア装置とを含む本発明による独居老人ケアシステムを提供することにより達成することができる。
【０００８】
本発明の一態様によれば、前記電気機器スイッチは、静電容量式タッチスイッチ又は一般接点式電灯スイッチで構成される。
【０００９】
本発明の他の態様によれば、本発明による独居老人ケアシステムは、独居老人が居住する世帯内に設置され、前記世帯別監視通信装置に接続され、スマートメータにより前記電気機器スイッチ履歴サーバコンピュータに緊急救助要請信号を送信することのできる緊急救助要請スイッチをさらに含む。
【００１０】
本発明のさらに他の態様によれば、前記電気機器スイッチ状態情報は、独居老人世帯の身元情報、前記電気機器スイッチの最終オン又はオフ動作後経過時間情報、緊急事態発生有無の状態値情報、当該独居老人が不在状態であるか否かを示す不在モード状態値情報、緊急事態発生時の保護者連絡先情報の少なくとも１つをさらに含む。
【００１１】
本発明のさらに他の態様によれば、前記独居老人世帯電気機器スイッチ使用履歴情報は、前記電気機器スイッチがオンからオフになるまでの平均動作時間情報、緊急事態発生日時情報、不在モード設定日時情報の少なくとも１つをさらに含む。
【００１２】
本発明のさらに他の態様によれば、前記世帯別監視通信装置は、スマートメータ又は遠隔検針端末（HOME CONTROL UNIT）で構成される。
【００１３】
本発明のさらに他の態様によれば、本発明による独居老人ケアシステムは、前記電気機器スイッチ履歴サーバコンピュータに接続され、前記電気機器スイッチ履歴サーバコンピュータが緊急事態発生を判定すると自動で予め保存されている電話番号に電話をかけ、前記緊急事態発生有無の状態値情報を確認するか、又は前記緊急事態設定を解除するように情報を前記電気機器スイッチ履歴サーバコンピュータに提供する自動応答サービス装置をさらに含んでもよい。
【００１４】
本発明のさらに他の態様によれば、独居老人の世帯内に設置され、前記世帯内に設置される電気機器スイッチに電力線で接続され、前記電気機器スイッチのオン／オフ状態情報を監視し、前記電気機器オン／オフ時間情報、予め保存されている前記電気機器身元情報、予め保存されているユーザ身元情報、緊急事態判定基準情報の少なくとも１つを送信する通信部を含む世帯別監視通信装置が提供される。
【００１５】
本発明のさらに他の態様によれば、前記緊急事態判定基準情報は、前記電気機器スイッチオン／オフ経過基準時間情報、昼間又は夜間状態の判別設定と解除の情報、緊急事態発生の設定又は解除の情報のいずれか１つの情報を含む。
【００１６】
本発明のさらに他の態様によれば、本発明による世帯別監視通信装置は、スマートメータ又は遠隔検針端末で構成される。
【発明の効果】
【００１７】
本発明による独居老人ケアシステムは、独居老人自身が通知できなくても、独居老人が居住する世帯内の電気機器スイッチのオン（点灯）／オフ（消灯）状態情報と電気機器スイッチ設定情報を基に、所定時間以上電気機器スイッチの状態変化がない場合に緊急事態発生を自動で判定することができ、緊急事態発生時に救急センター又は保護者連絡先に緊急事態発生を直ちに通知することにより、独居老人を救助できるという効果を有する。
【００１８】
また、本発明による独居老人ケアシステムにおける電気機器スイッチは、静電容量式タッチスイッチで構成されるため、独居老人が実際に世帯内での生活で人体接触により動作させなければオン又はオフできないので、独居老人が正常に生活しているか否かを把握する上で効果的である。
【００１９】
さらに、本発明による独居老人ケアシステムは、独居老人が居住する世帯内に設置され、世帯別監視通信装置に接続され、世帯別監視通信装置により電気機器スイッチ履歴サーバコンピュータに緊急救助要請信号を送信することのできる緊急救助要請スイッチをさらに含むので、世帯内の独居老人が当該緊急救助要請スイッチを作動させた場合に、その状態情報を電気機器スイッチ履歴サーバコンピュータが受信し、直ちにケア装置により救急センター又は保護者連絡先に通知することにより、迅速な措置を講じることができるという効果を有する。
【００２０】
さらに、本発明による独居老人ケアシステムにおける電気機器スイッチ状態情報は、独居老人世帯の身元情報を含むので、緊急事態発生時に救急センターに緊急事態発生情報を正確に通知することができ、自動応答サービス（ＡＲＳ）装置により独居老人に電話をかけて緊急事態発生（緊急モード）の確認又は解除をすることもでき、電気機器スイッチの最終オン又はオフ動作後経過時間情報を含むので、経過時間と緊急事態発生判定の基準時間とを比較することにより、緊急事態発生の有無を迅速に判定することができ、当該世帯の独居老人が不在であるか否かを示す不在モード状態値情報を含むので、独居老人が当該世帯に不在である場合に緊急事態発生と誤判定することを防止することができ、緊急事態発生時の保護者連絡先情報を含むので、異常（緊急事態）発生時に保護者に迅速に通知することができるという効果を有する。
【００２１】
さらに、本発明による独居老人ケアシステムにおける電気機器スイッチ状態情報は、独居老人世帯の身元情報、電気機器スイッチの最終オン又はオフ動作後経過時間情報、緊急事態発生有無の状態値情報、当該世帯の独居老人が不在であるか否かを示す不在モード状態値情報、緊急事態発生時の保護者連絡先情報の少なくとも１つをさらに含むので、緊急事態が発生した独居老人世帯の身元情報を迅速に送信することもでき、電気機器スイッチの最終オン又はオフ動作後経過時間を基準時間と比較することもでき、現在緊急事態発生状態であるか否かを把握することもでき、当該世帯の独居老人が現在不在であるか否かを判定することもでき、異常発生時に連絡する保護者連絡先を迅速に把握することもできるという効果を有する。
【００２２】
さらに、本発明による独居老人ケアシステムにおける独居老人世帯電気機器スイッチ使用履歴情報は、電気機器スイッチがオンからオフになるまでの平均動作時間情報、独居老人異常事態発生日時情報、不在状態設定日時情報の少なくとも１つをさらに含むので、電気機器スイッチがオンからオフになるまでの平均動作時間から異常事態発生を迅速に判定することもでき、独居老人異常事態発生日時を迅速に保護者や救急センターに通知することにより、速やかに措置することもでき、独居老人が不在状態となった経過時間を把握することにより、異常長期外出を判定することもできるという効果がある。
【００２３】
さらに、本発明による独居老人ケアシステムにおける世帯別監視通信装置は、スマートメータ又は遠隔検針用ホームコントロールユニットで構成されるので、独居老人世帯の電気機器スイッチオンオフ履歴情報を収集して電気機器スイッチ履歴サーバコンピュータにデータとして送信することができるという効果を有する。
【００２４】
さらに、発明の他の態様によれば、本発明による独居老人ケアシステムは、自動応答サービス装置をさらに含むので、電気機器スイッチ履歴サーバコンピュータが緊急事態発生を判定すると自動で予め保存されている電話番号に電話をかけ、緊急事態発生有無の状態値情報を確認することもでき、緊急事態モードを解除するように情報を電気機器スイッチ履歴サーバコンピュータに提供することもできるという効果がある。
【図面の簡単な説明】
【００２５】
【図１】本発明の好ましい実施形態による独居老人ケアシステムの構成を示すブロック図である。
【図２】本発明の好ましい実施形態による独居老人ケアシステムの電気機器スイッチ履歴サーバコンピュータの保存データ情報のうち電気機器スイッチ状態情報の内容の例を示すデータ情報構成図である。
【図３】本発明の好ましい実施形態による独居老人ケアシステムの電気機器スイッチ履歴サーバコンピュータの保存データ情報のうち電気機器スイッチ使用履歴情報の内容の例を示すデータ情報構成図である。
【図４】本発明の好ましい実施形態による独居老人ケアシステムの電気機器スイッチ履歴サーバコンピュータの保存データ情報のうち電気機器スイッチ設定情報の内容の例を示すデータ情報構成図である。
【図５】本発明の好ましい実施形態による独居老人ケアシステムの電気機器スイッチ履歴サーバコンピュータで行われる緊急モード判定過程を示すフローチャートである。
【図６】本発明の好ましい実施形態による独居老人ケアシステムのケア装置で行われる緊急事態発生を通知する過程を示すフローチャートである。
【発明を実施するための形態】
【００２６】
前述した本発明の目的とそれを達成する本発明の構成及びその作用効果は、添付図面を参照した本発明の好ましい実施形態についての以下の説明によりさらに明確に理解できるであろう。
【００２７】
本発明の好ましい実施形態による独居老人ケアシステムは、独居老人が居住するアパートなどの共同住宅やシルバータウンなどの老人福祉施設などに設置されて運用されるものであり、図１に示すように、電気機器スイッチ１１と、世帯別監視通信装置２１と、電気機器スイッチ履歴サーバコンピュータ３２と、ケア装置４１とを含む。
【００２８】
電気機器スイッチ１１は、独居老人が居住する世帯内に設置される電気機器のスイッチ、例えば電灯を点灯又は消灯するための電灯スイッチであり、好ましい実施形態において、電気機器スイッチ１１は、静電容量式タッチスイッチ又は一般接点式電灯スイッチで構成される。静電容量式タッチスイッチで構成されると、人体に流れる微細な静電気に感応して動作するスイッチであるので、人体接触以外の接触による誤動作の発生可能性が低く、老人が正常に活動しているか否かを監視する上で効果的である。
【００２９】
電気機器スイッチ１１は、図１に示すように、老人が居住する世帯を含む共同住宅の電力配線（ＰＬ）による電力線通信のために、第１電力線通信モデム１２に電気的に接続される。電気機器スイッチ１１と第１電力線通信モデム１２とが電気機器スイッチ通信装置１０を構成する。
【００３０】
本発明の好ましい実施形態において、第１電力線通信モデム１２にさらに緊急救助要請スイッチ１３が電気的に接続される。
【００３１】
緊急救助要請スイッチ１３は、老人が居住する世帯内に設置され、世帯別監視通信装置２１に第１電力線通信モデム１２及び第２電力線通信モデム２２を介して接続され、世帯別監視通信装置２１により電気機器スイッチ履歴サーバコンピュータ３２に緊急救助要請信号を送信することができる。緊急救助要請スイッチ１３は、例えば老人が居住する世帯内のトイレの壁面に設置されるスイッチで構成され、静電容量式タッチスイッチで構成されることが好ましい。
【００３２】
世帯別監視通信装置２１は、世帯内に設置され、電気機器スイッチ１１に電力線、すなわち住宅内の電力配線（ＰＬ）により接続され、電気機器スイッチ１１のオン／オフ状態情報を監視する。
【００３３】
住宅内の電力配線（ＰＬ）による電気機器スイッチ１１との通信接続のために、世帯別監視通信装置２１は、第２電力線通信モデム２２を介して住宅内の電力配線（ＰＬ）に接続される。
【００３４】
世帯別監視通信装置２１と第２電力線通信モデム２２とが世帯別監視通信部２０を構成する。
【００３５】
世帯別監視通信装置２１は、スマートメータ又は遠隔検針端末で構成され、電気機器スイッチ１１のオン／オフ状態情報と、予め保存されている電気機器スイッチ１１の身元情報とを共に提供することができる。また、世帯別監視通信装置２１は、外出ボタン（図示せず）を備えており、世帯内の独居老人が外出する際にこれを押すと、不在状態を信号として電気機器スイッチ履歴サーバコンピュータ３２に送信することができる。
【００３６】
さらに、世帯別監視通信装置２１は、電気機器スイッチ履歴サーバコンピュータ３２とのデータ通信を行うための通信部を有し、本発明の好ましい一実施形態において、通信部は、ＲＳ−４８５などのシリアル通信専用線（ＳＣ）によるシリアル通信のために、シリアル通信モデムで構成される。
【００３７】
なお、図１の符号１００は商用交流電源である。
【００３８】
電気機器スイッチ履歴サーバコンピュータ３２は、世帯別監視通信装置２１に通信ネットワークを介して接続される。ここで、通信ネットワークは、本発明の好ましい一実施形態においてはシリアル通信ネットワークであり、前述したようにシリアル通信専用線（ＳＣ）で構成され、他の実施形態においては無線通信、インターネット、移動通信など様々な通信ネットワークに変更されて構成される。
【００３９】
電気機器スイッチ履歴サーバコンピュータ３２は、電気機器スイッチ状態情報と、独居老人世帯電気機器スイッチ使用履歴情報と、電気機器スイッチ設定情報とを保存して提供することができる。
【００４０】
ここで、電気機器スイッチ状態情報は、世帯別監視通信装置２１が送信する老人世帯の電気機器スイッチオン／オフ状態情報と、電気機器スイッチ１１の身元情報（すなわち、当該電気機器スイッチの識別情報）とを含む。
【００４１】
また、電気機器スイッチ状態情報は、独居老人世帯の身元情報（例えば、独居老人の名前、住所及び電話番号を示す情報）、電気機器スイッチ１１の最終オン又はオフ動作後経過時間情報、緊急事態発生有無の状態値情報、当該世帯の独居老人が不在であるか否かを示す不在モード状態値情報、緊急事態発生時の保護者連絡先情報、緊急事態発生時の救急センター連絡先情報の少なくとも１つをさらに含んでもよい。
【００４２】
ここで、緊急事態発生有無の状態値情報は、電気機器スイッチの最終オン又はオフ動作後経過時間情報と、基準時間情報及び昼間又は夜間状態判別設定情報を含む電気機器スイッチ設定情報とに基づいて電気機器スイッチ履歴サーバコンピュータ３２が判定する、緊急事態が発生したか否かに関する情報である。
【００４３】
電気機器スイッチ状態情報は、図２に示すように、電気機器スイッチ状態情報を保存するためのものである、電気機器スイッチ履歴サーバコンピュータ３２に含まれるメモリＭ１に保存される。
【００４４】
独居老人世帯電気機器スイッチ使用履歴情報は、電気機器スイッチ１１が最後にオン状態であった日時情報と、電気機器スイッチ１１が最後にオフ状態であった日時情報と、緊急事態発生日時に関する情報とを含む。
【００４５】
独居老人世帯電気機器スイッチ使用履歴情報は、電気機器スイッチ１１がオンからオフになるまでの平均動作時間情報、独居老人緊急事態発生日時情報、不在状態（不在モード）設定日時情報の少なくとも１つをさらに含んでもよい。
【００４６】
ここで、電気機器スイッチ１１がオンからオフになるまでの平均動作時間情報は、電気機器スイッチ履歴サーバコンピュータ３２が緊急事態が発生したか否かを判定する上で、特に基準時間情報を設定する上で基準となる情報である。
【００４７】
老人緊急事態発生日時情報は、後述するケア装置４１が保護者又は救急センターに緊急事態を通知する際に共に通知され、迅速な救助に寄与する。
【００４８】
不在状態設定日時情報は、老人の不在状態が設定された日時を通知することにより、例えば管理事務所の管理者に、老人の不在状態が２４時間を超えた場合に当該世帯に連絡又は訪問させて不在状態の変化又は持続を確認させたり、不在状態設定日時からの経過時間及び／又は独居老人世帯の電気機器スイッチオン／オフ状態情報に基づいて不在モード設定情報の信頼性を確認する上で効果的に活用することができる。
【００４９】
電気機器スイッチ使用履歴情報は、図３に示すように、電気機器スイッチ使用履歴情報を保存するためのものである、電気機器スイッチ履歴サーバコンピュータ３２に含まれるメモリＭ２に保存される。
【００５０】
電気機器スイッチ設定情報は、緊急事態発生を判定するための電気機器スイッチオン／オフ経過基準時間情報と、昼間又は夜間状態の判別設定と解除の情報と、緊急事態発生（緊急モード）の設定又は解除及び不在モードの設定及び解除の情報とを含む。
【００５１】
ここで、緊急事態発生（緊急モード）の設定又は解除の情報は、緊急事態発生有無の状態値情報が緊急事態発生状態であるときに設定され、管理事務所の管理者が確認（当該世帯連絡又は直接訪問確認）後に手動で解除するか、後述する自動応答サービス（ＡＲＳ）装置が自動で確認して提供する情報に基づいて自動で解除される情報である。
【００５２】
不在モードの設定及び解除の情報は、自動で設定／解除されてもよく、手動で設定／解除されてもよい。
【００５３】
ここで、自動設定は、独居老人が外出する際に世帯別監視通信装置２１を構成するスマートメータ又は遠隔検針端末に備えられた外出ボタンを押すと、自動で電気機器スイッチ履歴サーバコンピュータ３２に信号が送信され、当該信号を受信した電気機器スイッチ履歴サーバコンピュータ３２が電気機器スイッチ履歴サーバコンピュータ３２に含まれるメモリＭ３に設定することにより行われ、自動解除は、帰宅した独居老人が外出ボタンを、例えば長く押して帰宅を示す信号を電気機器スイッチ履歴サーバコンピュータ３２に送信し、当該信号を受信した電気機器スイッチ履歴サーバコンピュータ３２が電気機器スイッチ履歴サーバコンピュータ３２に含まれるメモリＭ３の設定情報を解除に変更することにより行われる。
【００５４】
手動設定は、管理事務所の管理者又は独居老人ケアシステム運用業者の職員が、毎日所定時間間隔で共同住宅内のエレベータ又は所定の場所に設置された閉回路装置の録画画面で独居老人を確認することにより独居老人が外出したか否かを判断し、電気機器スイッチ履歴サーバコンピュータ３２にアクセス可能なモニタ、キーボード、マウスなどのインタフェース手段を用いて不在モードを設定するものであり、録画画面で独居老人を再び確認することにより独居老人が帰宅したか否かを判断し、不在モードを手動解除することができる。
【００５５】
電気機器スイッチ設定情報は、図４に示すように、電気機器スイッチ設定情報を保存するためのものである、電気機器スイッチ履歴サーバコンピュータ３２に含まれるメモリＭ３に保存される。
【００５６】
ケア装置４１は、通信ネットワークＮ１を介して電気機器スイッチ履歴サーバコンピュータ３２に接続され、マイクロコンピュータなどの演算及び保存手段と、通信部とを含み、電気機器スイッチ履歴サーバコンピュータ３２からの独居老人世帯電気機器スイッチ使用履歴情報と緊急事態発生有無の状態値情報を基に、緊急事態発生時に救急センター又は保護者連絡先に緊急事態発生を通知する。
【００５７】
ここで、通信ネットワークＮ１は、シリアル通信線路や一般有線電話線などの有線媒体、無線通信媒体、移動通信媒体のいずれかであってもよい。
【００５８】
ケア装置４１の演算及び保存手段は、緊急事態発生時に通知するメッセージとして「〇〇アパート〇〇棟〇〇号〇〇〇さん、緊急事態発生、至急救助願います。」のように予め保存されている救助要請メッセージ並びに老人及び世帯の身元メッセージと、「発生日時〇〇〇年〇〇月〇〇日午後〇〇時〇〇分」のような独居老人世帯電気機器スイッチ使用履歴情報に基づいた老人緊急事態発生日時に関するメッセージとを、通信部により一般有線電話線などの有線媒体、無線通信媒体、移動通信媒体のいずれかを介して救急センター又は保護者連絡先に通知する。
【００５９】
本発明の好ましい実施形態による独居老人ケアシステムは、図１に示すように、自動応答サービス装置５０をさらに含んでもよく、この自動応答サービス装置５０は、信号線を介して電気機器スイッチ履歴サーバコンピュータ３２に接続され、マイクロコンピュータなどの演算及び保存手段と、電話モデムなどの通信部とを含む。
【００６０】
自動応答サービス装置５０は、電気機器スイッチ履歴サーバコンピュータ３２が緊急事態発生を判定すると自動で予め保存されている電話番号（電気機器スイッチ履歴サーバコンピュータが提供した電話番号）に電話をかけ、電話に出た当該老人に予め保存されている音声案内メッセージを送出し、老人が当該音声案内メッセージの案内に従って所定の電話機ボタンを押すことにより、現在身体に異常がない状態であることを示す回答をした場合は、緊急事態モードを解除するように情報を電気機器スイッチ履歴サーバコンピュータ３２に提供することができる。
【００６１】
自動応答サービス装置５０は、当該老人が電話に出たものの、老人が当該音声案内メッセージの案内に従って現在身体に異常が発生した緊急事態であることを示す電話機ボタンを押した場合や、応答がない場合は、その旨を再度電気機器スイッチ履歴サーバコンピュータ３２に通知することにより、緊急事態発生有無の状態値情報を自動で確認することができる。
【００６２】
次に、図１〜図６を参照して本発明の好ましい実施形態による独居老人ケアシステムの動作について説明する。
【００６３】
以下、図５を参照して本発明の好ましい実施形態による独居老人ケアシステムの動作について説明する。
【００６４】
まず、本発明の好ましい実施形態による独居老人ケアシステムに予め保存されているプログラムに従って、電気機器スイッチ履歴サーバコンピュータ３２に含まれる中央処理装置が電気機器スイッチ履歴サーバコンピュータ３２に含まれるメモリＭ３に設定されて保存されている不在モードの設定又は解除情報を確認する（ステップＳＴ１）。
【００６５】
ステップＳＴ１において、不在モードが設定されている状態では再び不在モードの設定又は解除情報を確認する動作を繰り返し、不在モードが解除されるとステップＳＴ２に進み、電気機器スイッチ履歴サーバコンピュータ３２に含まれる中央処理装置が電気機器スイッチ１１のオン／オフ変化を確認する。
【００６６】
ステップＳＴ２において、電気機器スイッチ履歴サーバコンピュータ３２に含まれる中央処理装置は、電気機器スイッチ１１のオン／オフ変化があれば、世帯内の独居老人が異常なく活動しているとみなして再びオン／オフ変化を確認する動作を繰り返し、オン／オフ変化がなければ、ステップＳＴ３に進んで経過時間を計数する。
【００６７】
その後、ステップＳＴ４において、計数した経過時間を電気機器スイッチ履歴サーバコンピュータ３２に含まれるメモリＭ３に設定されて保存されている電気機器スイッチオン／オフ経過基準時間情報の値と比較し、比較の結果、経過時間が電気機器スイッチオン／オフ経過基準時間情報の値を超えた場合は、緊急事態発生（緊急モード）と判定し（ステップＳＴ５）、比較の結果、経過時間が電気機器スイッチオン／オフ経過基準時間情報の値に達していない場合は、ステップＳＴ４の作業を繰り返す。
【００６８】
その後、ステップＳＴ６において、電気機器スイッチ履歴サーバコンピュータ３２に含まれる中央処理装置は、緊急モードを設定、すなわち電気機器スイッチ履歴サーバコンピュータ３２に含まれるメモリＭ１の緊急モード状態値を「緊急状態」に設定し、メモリＭ３の緊急モード設定値を「設定」にして記録する。
【００６９】
一方、図示していないが、独居老人が緊急救助要請スイッチ１３を直接操作して緊急救助要請をした場合も、電気機器スイッチ履歴サーバコンピュータ３２に含まれる中央処理装置は、緊急モードを設定、すなわち電気機器スイッチ履歴サーバコンピュータ３２に含まれるメモリＭ１の緊急モード状態値を「緊急状態」に設定し、メモリＭ３の緊急モード設定値を「設定」にして記録する。
【００７０】
これにより、本発明の好ましい実施形態による独居老人ケアシステムにおいて行われる独居老人に対する緊急事態発生有無の監視動作を終了する。
【００７１】
次に、図６を参照して本発明の好ましい実施形態による独居老人ケアシステムの緊急事態発生時の措置動作について説明する。
【００７２】
当該緊急事態発生には、独居老人が緊急救助要請スイッチ１３を直接操作して緊急救助要請を行った場合と、本発明の好ましい実施形態による独居老人ケアシステムが図５に示す自動判定を行った場合とがあり、どちらの場合も電気機器スイッチ履歴サーバコンピュータ３２に含まれるメモリＭ１の緊急モード状態値は「緊急状態」に設定されており、メモリＭ３の緊急モード設定値も「設定」となって保存されている。
【００７３】
ステップＳＴ１１において、ケア装置４１に含まれるマイクロプロセッサの中央処理装置は、ケア装置４１に接続された電気機器スイッチ履歴サーバコンピュータ３２のメモリＭ１の緊急モード状態値又はメモリＭ３の緊急モード設定値を読み出して緊急モード発生の有無を判定する。
【００７４】
ステップＳＴ１１において、緊急モードが発生していないと判定されると、ケア装置４１に含まれるマイクロプロセッサの中央処理装置は、ステップＳＴ１１の動作を繰り返す。
【００７５】
ステップＳＴ１１において、緊急モードが発生したと判定されると、ケア装置４１に含まれるマイクロプロセッサの中央処理装置は、ステップＳＴ１２に進み、ケア装置４１に接続された電気機器スイッチ履歴サーバコンピュータ３２が提供する独居老人の身元情報と緊急事態発生の発生日時情報を基に、予め保存されている救助要請メッセージ並びに老人及び世帯の身元メッセージと、独居老人世帯電気機器スイッチ使用履歴情報に基づいた老人緊急事態発生日時に関するメッセージとを、通信部により一般有線電話線などの有線媒体、無線通信媒体、移動通信媒体のいずれかを介して救急センター又は保護者連絡先に通知する。
【００７６】
よって、保護者又は救急センターから老人世帯を訪問して救助することにより、緊急事態発生時に独居老人を救助することができる。
【符号の説明】
【００７７】
１０    電気機器スイッチ通信装置
１１    電気機器スイッチ
１２    第１電力線通信モデム
２０    世帯別監視通信部
２１    世帯別監視通信装置
２２    第２電力線通信モデム
３０    管理事務所サーバコンピュータ
３１    エネルギー検針サーバコンピュータ
３２    電気機器スイッチ履歴サーバコンピュータ
４０    ケア装置部
４１    ケア装置
１００    商用交流電源
【図１】
2014222498.tif 000003
【図２】
2014222498.tif 000004
【図３】
2014222498.tif 000005
【図４】
2014222498.tif 000006
【図５】
2014222498.tif 000007
【図６】
2014222498.tif 000008